(57)【特許請求の範囲】
【請求項１】
無線部を内蔵する筐体と、該筐体の表面の長手方向上方に設けられた表示部、長手方向下方に設けられた操作部、音声通話をするためのマイク，レシーバと、前記表示部下端より上部に配置された第１のアンテナ部と、前記操作部上端より下部に配置された第２のアンテナ部を有する携帯無線機であって、前記レシーバとは別に設けられた外部音声出力部と、音声信号が前記レシーバか、前記外部音声出力部に接続されているかを判別する音声信号経路判別部と、該音声信号経路判別部が判別した音声信号の接続先により前記第１，第２のアンテナ部を選択的に前記無線部に接続するアンテナ切替部を有し、前記音声信号の接続先が前記レシーバであるときは前記筐体の中ほどを持ったとして前記第２のアンテナ部を、前記外部音声出力部であるときは前記筐体の下方を持ったとして前記第１のアンテナ部を選択的に前記無線部に接続することを特徴とする携帯無線機。
【請求項２】
無線部を内蔵する筐体と、該筐体表面の長手方向上方に設けられた表示部、長手方向下方に設けられた操作部、音声通話をするためのマイク，レシーバと、前記表示部下端より上部に配置された第１のアンテナ部と、前記操作部上端より下部に配置された第２のアンテナ部を有し、音声通信及びデータ通信を行うことが可能な携帯無線機であって、音声通信中か、データ通信中かを判別する通信モード判別部と、前記レシーバとは別に設けられた外部音声出力部と、音声信号が前記レシーバか、前記外部音声出力部に接続されているかを判別する音声信号経路判別部と、前記通信モード判別部の判別結果及び前記音声信号経路判別部の判別結果により前記第１，第２のアンテナ部を選択的に前記無線部に接続するアンテナ切替部を有し、前記音声信号の接続先が前記レシーバであるときは前記筐体の中ほどを持ったとして前記第２のアンテナ部を、その他のときには前記筐体の下方を持ったとして前記第１のアンテナ部を選択的に前記無線部に接続することを特徴とする携帯無線機。
【請求項３】
前記携帯無線機は、前記表示部を有する上部筐体と、前記操作部を有する下部筐体で構成された折り畳み型の携帯無線機であって、前記第１のアンテナ部は前記上部筐体に配置され、前記第２のアンテナ部は前記下部筐体に配置されることを特徴とする請求項１乃至２いずれかに記載の携帯無線機。
【請求項４】
前記第１のアンテナ部は、前記マイク，レシーバを結ぶラインに対して概略並行であり、前記第２のアンテナ部は前記ラインに対して概略直交することを特徴とする請求項１乃至３いずれかに記載の携帯無線機。
【請求項５】
前記第１のアンテナ部は前記レシーバ下に、前記第２のアンテナ部は前記マイク下に配置されることを特徴とする請求項１乃至４いずれかに記載の携帯無線機。
【請求項６】
前記携帯無線機の待機時には、前記第１，第２のアンテナ部でダイバーシティ受信することを特徴とする請求項１乃至５いずれかに記載の携帯無線機。
【請求項７】
前記携帯無線機は、前記第１、２のアンテナ部とは別に設けられた送受信兼用のメインアンテナ部を有し、該メインアンテナ部と前記第１又は第２のアンテナ部でダイバーシティ受信を行うことを特徴とする請求項１乃至６いずれかに記載の携帯無線機。
【発明の詳細な説明】
【０００１】
【発明の属する技術分野】
本発明は携帯無線機に関し、さらに詳しくは、複数のアンテナを搭載し、音声通信、データ通信等の通信モードに応じて切替えて使用し、アンテナと人体との距離を大きくすることでアンテナの感度劣化を防止するようにした携帯無線機に関する。
【０００２】
【従来の技術】
近年、携帯電話等の準マイク口波を使用した各種移動体通信が脚光を浴びており、音声だけでなくデータ、画像通信等を送受信するニーズが高まっている。また、その携帯性により搭載されるアンテナは、より小型なもの、筐体に完全に内蔵されるものが実用化されている。
【０００３】
図１１は、特開平１１−１７７４８５号公報に示された従来の携帯無線機の例を示す斜視図である。
図１１に示す携帯無線機は、レシーバ１０３、表示部１０５を備えた上部筐体１０１と、マイク１０４、操作部１０９を備えた下部筐体１０２を有し、通信時は上部筐体１０１と下部筐体１０２を開いて使用し、上部筐体１０ｌ、下部筐体１０２を閉じた状態で携帯（待ち受け）する。上部筐体１０１には送受信兼用のダイバーシティ用メインアンテナ１０６が配置され、上部筐体１０ｌ、下部筐体１０２にそれぞれ、ダイバーシティ用のサブアンテナとして第１、第２のアンテナ１０７、１０８が設置されている。上部筐体ｌ０１、下部筐体１０２開時（通信時）はダイバーシティサブアンテナとして第２のアンテナ１０８が選択され、上部筐体１０１、下部筐体ｌ０２閉時はダイバーシティサブアンテナとして第１のアンテナ１０７が選択される。従って、通信時は人体（頭部）から離れた位置にある第２のアンテナ１０８がダイバーシティ用サブアンテナとして使用され、通話時以外つまり上部筐体１０１と下部筐体１０２とが折り畳まれた状態では、机等に置かれることを想定して、机から離れた位置にある第１のアンテナ１０７がダイバーシティ用サブアンテナとして使用される。
【０００４】
【発明が解決しようとする課題】
近年の携帯無線機では音声だけでなく、データ、画像等を通信することが強く望まれ、通信中であっても、音声通話をしている場合、データ通信をしている場合、音声＋データ通信の代表的なＴＶ電話を行っている場合と多様である。このような多様な通信状態における携帯無線機と人体の位置関係は、通信中であっても従来どおり人体頭部に近接して使用される場合の他に手で持って使用される場合が多く存在する。例えば、図１１に示す従来例では、データ通信を行う場合は下部筐体を手で保持し表示部を見ながら通信を行うため、通信中の第２のアンテナ１０８が手で覆われてアンテナ感度が劣化するという間題点があった。また、その携帯性より送信アンテナも内蔵型にしてアンテナ突起を無くすものが要望されているが、内蔵型アンテナは外部アンテナと比べると、より人体に近接してしまうためアンテナ感度が劣化するとともに、送信電波による人体被爆量（ＳＡＲ）が増加する。従って、実使用上での人体とアンテナの間隔をより大きくとることが必要となり、無線機の小型化、薄型化が困難となっている。
【０００５】
本発明は、上記課題に鑑みてなされたものであり、通信状態をより詳細に判別して実使用状態でのアンテナと人体の距離を大きくとることにより、実質的なアンテナ感度劣化を防ぐと同時に、小型、薄型携帯無線機に内蔵されたアンテナを送信アンテナとして用いた場合においても、送信電波による人体被爆量を小さくすることを目的とする。
【０００６】
また、音声通信、データ通信いずれの場合においても、送受信波の偏波面を考慮し、実使用上でよりレベルの高い垂直偏波を効率よく送受信することができるアンテナ配置を有する携帯無線機を提供することを目的とする。
さらに、複数備えられたアンテナを利用して、ダイバーシティ受信を行うことができる携帯無線機を提供することを目的とする。
【０００８】
【課題を解決するための手段】
請求項１記載の携帯無線機は、無線部を内蔵する筐体と、該筐体の表面の長手方向上方に設けられた表示部、長手方向下方に設けられた操作部、音声通話をするためのマイク，レシーバと、前記表示部下端より上部に配置された第１のアンテナ部と、前記操作部上端より下部に配置された第２のアンテナ部を有する携帯無線機であって、前記レシーバとは別に設けられた外部音声出力部と、音声信号が前記レシーバか、前記外部音声出力部に接続されているかを判別する音声信号経路判別部と、該音声信号経路判別部が判別した音声信号の接続先により前記第１，第２のアンテナ部を選択的に前記無線部に接続するアンテナ切替部を有し、前記音声信号の接続先が前記レシーバであるときは前記筐体の中ほどを持ったとして前記第２のアンテナ部を、前記外部音声出力部であるときは前記筐体の下方を持ったとして前記第１のアンテナ部を選択的に前記無線部に接続することを特徴とする。音声経路判別部からの信号により、音声信号が外部音声出力部に接続されている場合は筐体下部の手の影響を避けるため、第１のアンテナが使用され、音声信号がレシーバ、マイクに接続されている場合は、筐体上部の頭の影響を避けるため、第２のアンテナが使用される。
【０００９】
請求項２記載の携帯無線機は、無線部を内蔵する筐体と、該筐体表面の長手方向上方に設けられた表示部、長手方向下方に設けられた操作部、音声通話をするためのマイク，レシーバと、前記表示部下端より上部に配置された第１のアンテナ部と、前記操作部上端より下部に配置された第２のアンテナ部を有し、音声通信及びデータ通信を行うことが可能な携帯無線機であって、音声通信中か、データ通信中かを判別する通信モード判別部と、前記レシーバとは別に設けられた外部音声出力部と、音声信号が前記レシーバか、前記外部音声出力部に接続されているかを判別する音声信号経路判別部と、前記通信モード判別部の判別結果及び前記音声信号経路判別部の判別結果により前記第１，第２のアンテナ部を選択的に前記無線部に接続するアンテナ切替部を有し、前記音声信号の接続先が前記レシーバであるときは前記筐体の中ほどを持ったとして前記第２のアンテナ部を、その他のときには前記筐体の下方を持ったとして前記第１のアンテナ部を選択的に前記無線部に接続することを特徴とする。通信モード判別部と音声経路判別部からの信号により、データ通信時又は音声信号が外部音声出力部に接続されている場合は筐体下部の手の影響を避けるため、第１のアンテナが使用され、音声信号がレシーバ、マイクに接続されている場合は、筐体上部の頭の影響を避けるため第２のアンテナが使用される。
【００１０】
請求項４記載の携帯無線機は、請求項１〜３記載の携帯無線機において、該携帯無線機は、前記表示部を有する上部筐体と、前記操作部を有する下部筐体で構成された畳み型の携帯無線機であって、前記第１のアンテナ部は前記上部筐体に配置され、前記第２のアンテナ部は前記下部筐体に配置されることを特徴とする。
【００１１】
請求項４記載の携帯無線機は、請求項１〜３のいずれかに記載の携帯無線機において、前記第１のアンテナ部は、前記マイク，レシーバを結ぶラインに対して概略並行であり、前記第２のアンテナ部は前記ラインに対して概略直交することを特徴とする。第１のアンテナ使用時、携帯無線機は手で保持され地面に対して概略垂直に使用され、第２のアンテナ使用時、携帯無線機は耳にあてがわれ地面に対して水平に近い角度で使用されるため、第１、第２のアンテナはそれぞれ使用されるシーンにおいて地面に対して概略垂直に配置される。
請求項５記載の携帯無線機は、請求項１〜４のいずれかに記載の携帯無線機において、前記第１のアンテナ部は前記レシーバ下に、前記第２のアンテナ部は前記マイク下に配置されることを特徴とする。
【００１２】
請求項６記載の携帯無線機は、請求項１〜５のいずれかに記載の携帯無線機において、前記携帯無線機の待機時には、前記第１，２のアンテナ部でダイバーシティ受信することを特徴とする。通信時以外の人体と携帯無線機の位置関係が任意である場合、第１、第２のアンテナのうち通信品質の優れたアンテナが使用される。
【００１３】
請求項７記載の携帯無線機は、請求項１〜６のいずれかに記載の携帯無線機において、前記第１、２のアンテナ部とは別に設けられた送受信兼用のメインアンテナ部を有し、該メインアンテナ部と前記第１又は第２のアンテナ部でダイバーシティ受信を行うことを特徴とする。携帯無線機から送信する場合はメインアンテナが使用され、携帯無線機で受信する場合は、第１、第２のアンテナのうち選択されているアンテナとメインアンテナのうち通信品質が優れたアンテナが使用される。
【００１４】
【発明の実施の形態】
以下、本発明の実施の形態を図１〜図１０に示す実施例に基づいて説明する。
（実施例１）
図１は実施例１の携帯無線機を示す斜視図、図２は携帯無線機の回路構成を示すブロック図、図３はデータ通信として使用している場合の使用状態を示す斜視図、図４は音声通信として使用している場合の使用状態を示す斜視図である。
【００１５】
実施例１の携帯無線機は、樹脂で形成された筐体１表面に、レシーバ２、表示部３、操作部４、マイク５を有し、筐体内面に無線部（図示せず）、バッテリ（図示せず）等の回路部品、第１のアンテナ６、第２のアンテナ７を有する。第１、第２のアンテナ６，７は逆Ｆアンテナ等の筐体１内に内蔵するために適した平面構造をとる。また、第１のアンテナ６はレシーバ２、表示部３のほぼ裏側すなわち筐体１上部に配置され、第２のアンテナ７は操作部４、マイク５のほぼ裏側すなわち筐体１下部に配置されている。
【００１６】
図２は、実施例１の携帯無線機の筐体１内に収納される回路の回路構成を示すブロック図であり、第１，第２のアンテナ６，７と、データの変復調を行い基地局と無線周波数で送受信を行う無線部９と、第１，第２のアンテナ６，７をアンテナ切替信号により選択的に切替えて無線部９に接続するＦＥＴスイッチ等で構成されるアンテナ切替スイッチ８と、音声通信時に処理を行う音声処理部１１と、データ通信時に処理を行うデータ処理部１２と、無線部９からの信号がデータ通信用信号なのか音声通話用信号なのかを判別し、データ処理部１２又は音声処理部１１に選択的に接続する通信モード判別部１０を有する。データ処理部１２は、ユーザインターフェイスとしての表示部３と操作部４が接続され、音声処理部１１はマイク５、レシーバ２が接続されている。
また、図示していない制御部により、無線部９、通信モード判別部１０、音声処理部１１、データ処理部１２は通信タイミング等を統合的に制御されている。
【００１７】
通信モード判別部１０は、無線部９からの信号のへッダ部より該信号がデータ通信信号であるか、音声信号であるかを判別し、該信号がデータ通信信号であると判断すると、信号をデータ処理部１２に接続するとともに、第１のアンテナ６に切替えるアンテナ切替信号をアンテナ切替部８に送信する。―方無線部９から入力された信号が音声信号であると判断すると、該信号を音声処理部１１に接続するとともに、第２のアンテナ７に切替えるアンテナ切替信号をアンテナ切替部８に送信する。
また、その他の場合（待ち受け時）アンテナ切替部８は予め決定された第１又は第２のアンテナ６，７のどちらかに接続される。好ましくは、無線部９からの距離が小さく伝送線路損失が小さいアンテナ、又は単体特性が優れているアンテナへ接続される。
【００１８】
図３は、データ通信時の代表的な使用状態を示す斜視図である。
データ通信時は、表示部３を見ながら操作部４近傍を手１３で保持し適宜キー操作をする。このとき上述のように、通信モード選判別部１０からのアンテナ切替信号により手１３から最も離れる筐体１上部に配置された第ｌのアンテナ６が使用される。
【００１９】
図４は、音声通信時の代表的な使用状態を示す斜視図である。
音声通信時は、レシーバを耳に当て筐体１の中央付近を手１３で保持する。このとき上述のように、通信モード判別部１０からのアンテナ切替信号により人体頭部１４から最も離れる筐体１下部に配置された第２のアンテナ７が使用される。
【００２０】
上述のように、携帯無線端末に対する人体の影響部分が大きく異なるデータ通信時、音声通話時に適合して人体の影響の最も小さい部分に配置したアンテナを使用することができる。
実施例１の携帯無線機では通信モード判別部１０は、無線機からの信号のへッダー部分でデータ通信か音声通信かを判断したが、パケット通信であるか否かで判断してもよい。
また、待ち受け時は予め決定された第１又は第２のアンテナのどちらかが無線部に接続されているが、より受信電力が高いアンテナ側へ切替えるダイバーシティアンテナとして構成してもよい。
【００２１】
実施例１の携帯無線機によれば、実使用時にアンテナ特性が最も影響のうける人体の影響が少ない部分に配置したアンテナを効率よく使用することが可能となるため、一般に人体の影響が大きい小型内蔵アンテナを使用可能であり、端末の小型化及びデザインのスマート化が図れるとともに、送信アンテナが人体頭部から離れて配置されるため電磁波による人体被爆量を格段に軽減することができる。
【００２２】
（実施例２）
図５は、本発明の実施例２による携帯無線機の回路構成を示すブロック図である。
実施例２の携帯無線機は、第１，第２のアンテナ２１，２２、データの変復調を行い基地局と無線周波数で送受信を行う無線部２４と、第１，第２のアンテナ２１，２２をアンテナ切替信号により選択的に切替えて無線部２４に接続するＦＥＴスイッチ等で構成されるアンテナ切替スイッチ２３と、音声通信時に処理を行う音声処理部２５と、耳及び口の近傍で使用するマイク、レシーバで構成される内部通話手段２７と、耳及び口から離して使用する外部スピーカ、マイクで構成される外部通話手段２８と、音声処理部２５からの音声信号を内部通話手段２７、外部通話手段２８に選択的に切替えて接続する音声経路切替部２６を有する。なお、表示部や、ダイヤル等のデータ処理部、無線部２４、音声処理部２６、データ処理部を統合的に制御する制御部は図示していない。
【００２３】
音声経路切替部２６は、ユーザが機能設定することにより音声出方を内部通話手段２７または外部通話手段２８に接続する。このとき、携帯無線機が通信状態に入ると音声経路切替部２６は内部通話手段２７が選択されている場合は第２のアンテナ２２に、外部通話手段２８が選択されている場合は第１のアンテナ２１に切替えるアンテナ切替信号をアンテナ切替部２３に送信する。また、その他の場合（待ち受け時）アンテナ切替部２３は、予め決定された第１又は第２のアンテナ２１，２２のどちらかに接続される。好ましくは無線部２４からの距離が小さく伝送線路損失が小さいアンテナまたは、単体特性が優れているアンテナへ接続される。
【００２４】
従って、内部通話手段２７が選択されている場合、すなわち図４に示すレシーバが耳に当てられ人体頭部に近接して使用される場合、筐体下部に配置された第２のアンテナ２２が、外部通話手段が選択されている場合、すなわち図３に示す手で操作部を保持している場合は筐体上部に配置された第１のアンテナ２１が無線部に接続され、人体によるアンテナ特性の劣化が軽減される。
実施例２では、外部通話手段はスピーカ、マイクとしたが、イヤホーンマイクジャック等で外部接続された通話手段でもよい。また、音声経路切替部２６はユーザの操作により音声経路を切替えたが、外部通話手段２８の接続に応じて切替えたり、ＴＶ電話かどうかを判別して自動的に切替えてもよい。
【００２５】
（実施例３）
図６は、本発明の実施例３による携帯無線機の回路構成を示すブロック図であり、上述した実施例１、実施例２の携帯無線機のデータ通信モードと音声経路の両方を使用するアンテナを選択する例である。
実施例３の携帯無線機は、第１，第２のアンテナ３１，３２と、データの変復調を行い墓地局と無線周波数で送受信を行う無線部３４と、第１，第２のアンテナ３１，３２をアンテナ切替信号により選択的に切替えて無線部３４に接続するＦＥＴスイッチ等で構成されるアンテナ切替スイッチ３３と、データ通信時に処理を行うデータ処理部３６と、音声通信時に処理を行う音声処理部３９と、無線部３４からの信号がデータ通信用信号なのか音声通話用信号なのかを判別し、データ処理部３６、音声処理部３９に選択的に接続する通信モード判別部３５と、耳及び口の近傍で使用するマイク、レシーバで構成される内部通話手段４１と、耳及び口から離して使用する外部スピーカ、マイクで構成される外部通話手段４２と、音声処理部３９からの音声信号を内部、外部通話手段４１，４２を選択的に切替えて接続する音声経路切替部４０を有する。また、図示していない制御部により、無線部３４、通信モード判別部３５、音声処理部３９、データ処理部３６は通信タイミング等を統合的に制御されている。
【００２６】
通信モード判別部３５は、上述の実施例１の携帯無線機と同様に無線部３４からの信号により、データ通信の場合は第１のアンテナ３１に切替え、音声通話の場合は第２のアンテナ３２に切替える第１のアンテナ切替信号を送信する。
【００２７】
―方、音声経路切替部４０は、実施例２の携帯無線機と同様に音声出力が耳及び口近傍で使用する内部通話手段４１を使用する場合は第２のアンテナ３２に切替え、外部スピーカ等を使用する外部通話手段４２を使用する場合は第１のアンテナ３１に切替える第２のアンテナ切替信号を送信する。
【００２８】
第１、第２のアンテナ切替信号は加算器４３に入力され、両信号が第２のアンテナ３２を使用する信号のときのみアンテナ切替スイッチ３３によって第２のアンテナ３２に切替え、その他の場合は第１のアンテナ３１に切替える第３のアンテナ切替え信号を送信する。
実施例３の携帯無線機に従うと、データ通信中には第１のアンテナ３１が使用され、音声通話中で内部レシーバ、マイクが使用されている時は第２のアンテナ３２が、外部スピーカが使用されている場合は第１のアンテナ３１が使用されるため、より詳細な使用シーンに基づいて最適なアンテナを選定することが可能となる。
【００２９】
（実施例４）
図７は、本発明の実施例４による携帯無線機を示す斜視図であり、折り畳み式携帯電話に本発明を適用した例である。
実施例４の携帯無線機は、表面に表示部５４とレシーバ５３を有する第１の筐体５１と、表面に操作部５５とマイク５６を有する第２の筐体５２で構成され、通信時は第１，第２の筐体５１，５２が開かれて使用され、携帯時は第１，第２の筐体５１，５２を折り畳み携帯する。第１の筐体５１には第１のアンテナ５７が内蔵され、第２の筐体５２には第２のアンテナ５８が内蔵されており、上述の第１、第２の実施形態と同様に通信モード、又は音声経路により適宜第１，第２のアンテナ５７，５８が使用される。
【００３０】
データ通信中には第１のアンテナ５７が使用され、音声通話中で内部レシーバ、マイクが使用されている時は第２のアンテナ５８が、外部スピーカが使用されている場合は第１のアンテナ５７が使用される。
上述のように、本発明を折り畳みタイプの携帯無線端末に適用した場合、データ通信時、音声通話時の人体と携帯無線端末の位置関係が、ヒンジにより筐体が上下分離されていることにより、手で持つ位置が限定されるため明確になる。
【００３１】
（実施例５）
図８は、本発明の実施例５による携帯無線機を示す斜視図、図９は、データ通信時又は外部通話手段を用いて通信を行っている状態を示す斜視図、図１０は、内部通話手段を用いて通話している状態を示す斜視図である。
一般的に、基地局から送信される電波は垂直偏波であり、受信端ではフェージングにより偏波面も拡散され水平偏波も生ずるが、やはり垂直偏波成分が主であるため、良好な受信感度を得るためには垂直偏波アンテナが好ましい。
【００３２】
図８の実施例５の携帯無線機は、実施例４の携帯無線機と同様に、表示部６４、レシーバ６３を有する上部筐体６１と、操作部６５、マイク６６を有する下部筐体６２を有し、第１の筐体６１はレシーバ６３とマイク６６を結ぶラインに対して概略並行な第１のアンテナ６７を有し、第２の筐体６２は前記ラインに概略直交した第２のアンテナ６８を有する。
データ通信、又は外部通話手段を使用している場合は、図９に示すように下部筐体６２を手６９により保持し、携帯無線機を立てて通信を行う。このとき、実施例１〜４の携帯無線機と同様に第１のアンテナ６７が使用されており、その偏波面はほぼ第１のアンテナ６７と同一方向７０の垂直偏波が放射される。
内部通話手段を使用している場合、携帯無線機は図１０に示すようにレシーバを耳にあてがい、手６９で上下部筐体６１，６２の接続部分を保持し、頭部７１に近接させ垂直から６０度〜８０程度傾斜して固定され通信を行う。このとき上述の実施形態と同様に第２のアンテナ６８が使用されており、その偏波面はほぼ第２のアンテナ６８と同一方向７２の垂直偏波が主に放射される。
【００３３】
従って、携帯無線端末の方向が変化する上記２つの状態で、第１又は第２のアンテナから実使用上でよりレベルの高い垂直偏波を効率よく送受信することが可能となる。
実施例５の携帯無線機は、折畳式の携帯無線機での実施形態であるが、図１に示すような折り畳み構造をもたない携帯無線機であってもよい。
【００３４】
以上、上述した各実施例において、第１、第２のアンテナは送信、受信の両方を行うアンテナであるが、両アンテナを受信専用とし、送信用に別途外部アンテナを設け、両者間でダイバーシティ受信を行ってもよい。
また同様に、第１，第２のアンテナとして筐体に内蔵されるタイプのアンテナの例を示したが、筐体外部に突出するホイップアンテナ、へリカルアンテナ等を使用してもよい。
【００３５】
【発明の効果】
以上のように、本発明の携帯無線機は、筐体に配置された第１，第２のアンテナ部を通信中の通信状態に応じて切替えて使用することにより、実使用上でのアンテナと人体の距離を大きくすることができ、アンテナ感度劣化が小さく良好な通信が確保される。
また、アンテナが人体から離れるため内臓アンテナを用いた場合であっても、電磁波の人体被爆量を大幅に軽減することができる。
【００３６】
また、第１のアンテナ部はマイクとレシーバを結ぶラインに対して概略並行に、第２のアンテナ部は前記ラインに対し概略直交するように配置したことにより、音声通信、データ通信いずれの場合においても、垂直偏波の送受信波を効率よく送受信することができる。
さらに、複数備えられたアンテナを利用して、ダイバーシティ受信を行うことができ、安定したレベルの電波の受信を行うことができる。
【図面の簡単な説明】
【図１】本発明の実施例１による携帯無線機を示す斜視図である。
【図２】実施例１の携帯無線機の回路構成を示すブロック図である。
【図３】実施例１の携帯無線機のデータ通信時の使用状態を示す斜視図である。
【図４】実施例１の携帯無線機の音声通話時の使用状態を示す斜視図である。
【図５】本発明の実施例２による携帯無線機の回路構成を示すブロック図である。
【図６】本発明の実施例３による携帯無線機の回路構成を示すブロック図である。
【図７】本発明の実施例４による携帯無線機を示す斜視図である。
【図８】本発明の実施例５による携帯無線機を示す斜視図である。
【図９】実施例５の携帯無線機のデータ通信時又は外部通話手段を利用している場合の使用状態を示す斜視図である。
【図１０】実施例５の携帯無線機の内部通話手段を利用している場合の使用状態を示す斜視図である。
【図１１】従来の携帯無線機を示す斜視図である。
【符号の説明】
１…筐体、２，５３，６３，１０３…レシーバ、３，３７，５４，６４，１０５…表示部、４，３８，５５，６５，１０９…操作部、５，５６，６６，１０４…マイク、６，２１，３１，５７，６７，１０７…第１のアンテナ、７，２２，３２，５８，６８，１０８…第２のアンテナ、８，２３，３３…アンテナ切替えスイッチ、９，２４，３４…無線部、１０，３５…通信モード判別部、１１，２５，３９…音声処理部、１２，３６…データ処理部、１３，６９…手、１４，７１…頭部、２６，４０…音声経路切替部、２７，４１…内部通話手段、２８，４２…外部通話手段、４３…加算器、５１，６１，１０１…上部筐体、５２，６２，１０２…下部筐体、７０…第１のアンテナと同一方向、７２…第２のアンテナと同一方向、１０６…メインアンテナ。
【図１】
0003891831.tif 000002
【図２】
0003891831.tif 000003
【図３】
0003891831.tif 000004
【図４】
0003891831.tif 000005
【図５】
0003891831.tif 000006
【図６】
0003891831.tif 000007
【図７】
0003891831.tif 000008
【図８】
0003891831.tif 000009
【図９】
0003891831.tif 000010
【図１０】
0003891831.tif 000011
【図１１】
0003891831.tif 000012